(57)【要約】【課題】磁石と吸盤の吸着力を利用した従来の壁面取付装置は、磁石や吸盤が取り付けられる特定の形状に、専用の金型で製造されるため、製造コストが高く、その組立てにも手間を要するという問題点があった。また、取り付けられる物品の多様化にも対応できないという問題点があった。本発明は、上記従来の壁面取付装置が有していた問題点の解決を課題とする。【解決手段】裏面の上下に係合溝２ｃ，２ｄが設けられたレール部材２と、この係合溝にはめ込んで取り付けられる磁石ホルダー４と、レール部材の端部を被覆するように取り付けられるキャップ３とで壁面取付装置１を構成した。そして、前記キャップには、吸盤６の取付用の係止片３ａを一体的に設けた。また、レール部材の表面側に設けられた係合溝を利用してラックやホルダーなどの物品を取り付けるようにした。【選択図】図３
2006136362.tif 000002
【特許請求の範囲】
【請求項１】
表面と裏面にそれぞれ上下に対向するように係合溝が設けられたレール部材と、
上記レール部材の裏面側の係合溝と係合可能な突片が上下に突設された磁石ホルダーと、
上記レール部材の端部に係合するキャップとからなり、
上記キャップの内方には、レール部材の裏面側の係合溝と係合し、吸盤を係止保持する係止片が一体的に設けられ、該吸盤と上記磁石ホルダーに取り付けられた磁石の吸着力により、壁面の所望の位置に取り付けられ、レール部材の表面側に設けられた係合溝で種々のアタッチメントが係止保持されるようになされたことを特徴とする小物ラック等の壁面取付装置。
【発明の詳細な説明】
【技術分野】
【０００１】
本発明は、小物ラックやホルダー、あるいはフックなどの物品を、磁石と吸盤の吸着力を利用して磁性体で構成された壁面の任意の位置に取り付けるようにした壁面取付装置に関する。
【背景技術】
【０００２】
従来、この種の壁面取付装置としては、合成樹脂などで形成された取付物の背面に磁石収納部や吸盤の取付部を設け、ここに直接、磁石や吸盤を取り付けたものがあった。（例えば、特許文献１参照。）
また、この他に背面に吸盤と磁石が横一列に並ぶように設けられた樹脂製の取付基盤と、この取付基盤の両側に軸部が係合することにより、吊り下げ支持される線条体で形成されたラックとで構成されたものもあった。（例えば、特許文献２参照。）
【特許文献１】特開平５−１３９４４８号公報（第２頁、第１図）
【特許文献２】特開平８−３０８７１３号公報（第２頁、第２図）
【発明の開示】
【発明が解決しようとする課題】
【０００３】
上述した従来の壁面取付装置のうち、前者の背面に磁石と吸盤が一体的に取り付けられるものは、対象物の背面に磁石収納部や吸盤の取付部を形成するために専用の成形用金型を必要とし、かつその形状が複雑になることと相俟って製造コストが高くなるいう問題点があった。また、成形後、磁石収納部に磁石を接着剤などを用いて脱落不可に取り付けると共に、吸盤の取付部にも吸盤を脱落不可に取り付けなくてはならず、その組み立てにも手間を要するという問題点があった。
【０００４】
また、後者の取付基盤とラックとで構成されたものは、ラックを組み付ける前に磁石と吸盤を取付基盤に取り付けることができるので、その組立作業は比較的行い易いものの、取付基盤の裏面には、依然として磁石と吸盤の取付部が設けられており、形状が複雑で成形用の金型が高価になると共に、磁石と吸盤の取り付けの手間も要するという問題点があった。さらに、この取付基盤に取り付けられるのは、ラックなどの線条体で形成されたものに限られ、取り付けられる物品の多様化に対応できないという問題点も有していた。
【０００５】
本発明は、上記従来の壁面取付装置が有していた問題点の解決を課題とする。
【課題を解決するための手段】
【０００６】
上記の問題点を解決するために、本発明では、表面と裏面にそれぞれ上下に対向するように係合溝が設けられたレール部材と、このレール部材の裏面側の係合溝と係合可能な突片が上下に突設された磁石ホルダーと、前記レール部材の端部に係合するキャップとで壁面取付装置を構成し、上記キャップの内方には、レール部材の裏面側の係合溝と係合し、吸盤を係止保持する係止片を一体的に設けた。このことで前記吸盤と上記磁石ホルダーに取り付けられた磁石の吸着力により、壁面の所望の位置に取り付けられることとし、かつ、上記レール部材の表面側に設けられた係合溝で小物ラックなどの種々のアタッチメントが係止保持されるようにした。
【発明の効果】
【０００７】
上述したように本発明では、小物ラックなどの壁面取付装置を、レール部材と、該レール部材に係合する磁石ホルダーと、キャップとで構成し、キャップには、吸盤が取り付けられる係止片を一体的に設けることとしたので、磁石と吸盤の組み付けが容易に行えると共に、レール部材の長さが異なってもレール部材に係合させる磁石ホルダーの数が変わるだけで、部品は共通に用いることができる。よって、組立作業性が向上すると共に、サイズや用途の異なるものへの対応も容易にはかれるという効果がある。
【０００８】
また、レール部材の表面側に設けられた係合溝で小物ラックなどの種々のアタッチメントが取替可能に係止保持されるようにしたので、この面からも部品の共通化が図られ、コスト低廉に種々の物品の取り付けに対応できるという効果がある。
【発明を実施するための最良の形態】
【０００９】
以下、本発明を図示した実施の形態に基づき詳細に説明する。
【００１０】
図１は、本発明に係る壁面取付装置の正面図、図２と図３は、それぞれその平面図と裏面図である。また、図４、図５、図６は、それぞれ図３のＡ−Ａ線、Ｂ−Ｂ線、Ｃ−Ｃ線の断面図である。
【００１１】
図示したように、本発明の小物ラックなどの壁面取付装置１は、細長い形状のレール部材２と、このレール部材２の両端に取り付けられたキャップ３と、レール部材２の裏側（図３において紙面の手前側）に取り付けられた磁石ホルダー４とで構成されている。
【００１２】
上記レール部材２は、表面側にラックなどの小物（図示せず）を係止保持するための係合溝２ａ，２ｂを、上下に対向するように設けると共に、裏面側に磁石ホルダー４を嵌め込むための係合溝２ｃ，２ｄを同様に上下に対向するように設けた細長い形状のものであり、合成樹脂あるいはアルミなどの金属材で形成されている。
【００１３】
キャップ３は、レール部材２の端部と係合する形状に合成樹脂で形成されたものであり、その内側（互いに向き合った側）には、前記係合溝２ｃ，２ｄに係合する係止片３ａが一体的に突設されている。この係止片３ａには、略８の字形の係止孔３ｂが設けられ、ここに軸部６ａが係合することにより、吸盤６が係止保持されるようになっている。
【００１４】
磁石ホルダー４は、板状の磁石５を抱持可能に金属で形成されたものであり、その上下両側には、レール部材２の裏面側に設けられた係合溝２ｃ，２ｄと係合可能な突片４ａ，４ｂが一体的に設けられている。
【００１５】
したがって、レール部材２の片側から係合溝２ｃ，２ｄに突片４ａ，４ｂが係合するように磁石ホルダー４を差し込むだけで、この磁石ホルダー４は、レール部材２に取り付けられ、その後、レール部材２の端部にキャップ３を被せることにより、磁石ホルダー４は、レール部材２に脱落不可に保持されることとなる。また、キャップ３には、上述したように予め吸盤６が一体的に係止保持されているので、レール部材２にキャップ３を嵌めるだけで、吸盤６も磁石５と並んだ所定の位置に取り付けられることとなる。
【００１６】
以上のようにして本発明の小物ラックなどの壁面取付装置は、組み立てられる。
【００１７】
なお、図示していないが、レール部材２の表側の係合溝２ａ，２ｂには、この係合溝２ａ，２ｂと係合可能な係合部が背面に設けられたラックやフックなどの種々のアタッチメントが、取り替え可能に係止保持されるようになっている。
【００１８】
上記構成を有する本発明の小物ラックなどの壁面取付装置１は、その裏面に設けられた磁石５と吸盤６の吸着力が相乗的に作用することにより、金属パネルなどで構成された壁面の任意の位置に強固に吸着保持され、図７に示すように前面にホルダー７を取り付けて物品１０，１１，１２の収納に用いたり、あるいは図８に示すように前面に複数のフック８を取り付けて、物品１３，１４を係止保持する目的に使用されたりするものである。
【００１９】
なお、図示した実施の形態では、レール部材２の裏面に二つの磁石ホルダー４を取り付けた例を示したが、取り付けられる磁石ホルダー４の数は、レール部材２の長さや、使用目的に応じて適宜、変更すれば良く、任意である。また、磁石ホルダー４のようにレール部材２の係合溝２ｃ，２に係合する部材（図示せず）を用いて吸盤６をレール部材２の中央部分に取り付けるようにしても良い。
【図面の簡単な説明】
【００２０】
【図１】本発明に係る小物ラックなどの壁面取付装置の正面図である。
【図２】図１に示した壁面取付装置の平面図である。
【図３】図１に示した壁面取付装置の裏面図である。
【図４】図３のＡ−Ａ線の断面図である。
【図５】図３のＢ−Ｂ線の断面図である。
【図６】図３のＣ−Ｃ線の断面図である。
【図７】使用状態斜視図である。
【図８】他の使用状態の斜視図である。
【符号の説明】
【００２１】
１  壁面取付装置
２  レール部材
２ａ，２ｂ，２ｃ，２ｄ  係合溝
３  キャップ
３ａ  係止片
３ｂ  係止孔
４  磁石ホルダー
５  磁石
６  吸盤
６ａ  軸部
【図１】
2006136362.tif 000003
【図２】
2006136362.tif 000004
【図３】
2006136362.tif 000005
【図４】
2006136362.tif 000006
【図５】
2006136362.tif 000007
【図６】
2006136362.tif 000008
【図７】
2006136362.tif 000009
【図８】
2006136362.tif 000010